(57)【要約】      （修正有）【課題】螺子等の別部材である締結部材なしに、器具本体に箱体を容易に取り付け及び取り外すことができ、箱体を脱着する際の作業性が向上する照明器具を提供する。【解決手段】照明器具１は、光源を点灯する板状の器具本体１０と、器具本体１０に取り付けられる箱体３０と、器具本体１０の一部が折り曲げ自在に構成されており、器具本体１０の他部と共に箱体３０の一部を挟み込む折り曲げ部２０と、を備える。【選択図】図３
2017098165.tif 000002
【特許請求の範囲】
【請求項１】
光源を点灯する板状の器具本体と、
前記器具本体に取り付けられる箱体と、
前記器具本体の一部が折り曲げ自在に構成されており、前記器具本体の他部と共に前記箱体の一部を挟み込む折り曲げ部と、
を備える照明器具。
【請求項２】
前記折り曲げ部は、
前記器具本体に接続され、折り曲げられる基線である基端部と、
前記基端部から延び、前記箱体を押さえる押え部と、を有する請求項１記載の照明器具。
【請求項３】
前記基端部の幅よりも前記押え部の長さの方が長い請求項２記載の照明器具。
【請求項４】
前記押え部は、
前記押え部の基端側の幅よりも前記押え部の先端側の幅の方が狭い請求項２又は３記載の照明器具。
【請求項５】
前記折り曲げ部は、
前記基端部と前記押え部とを接続し、前記押え部の基端側の幅よりも狭い接続部を更に有する請求項２〜４のいずれか１項に記載の照明器具。
【請求項６】
前記折り曲げ部は、
前記器具本体の厚み方向からみて、略Ｕ字状のスリットの残った部分である請求項１〜５のいずれか１項に記載の照明器具。
【請求項７】
前記箱体には、
前記折り曲げ部が挿入される挿入孔が形成されている請求項１〜６のいずれか１項に記載の照明器具。
【請求項８】
前記箱体の前記挿入孔は、
前記箱体の端部から切り欠かれた切欠きである請求項７記載の照明器具。
【請求項９】
前記箱体は、
一方の面が前記器具本体に接触する基部と、
前記基部の他方の面に取り付けられた箱本体と、を備え、
前記箱体の前記挿入孔は、
前記基部又は前記箱本体に形成されている請求項７又は８記載の照明器具。
【請求項１０】
前記器具本体に設けられ、前記挿入孔に挿入されて前記箱体を係止する係止部を更に備える請求項７〜９のいずれか１項に記載の照明器具。
【請求項１１】
前記箱体は、
前記光源を点灯する点灯装置、無線装置及び光源の少なくとも一つ以上を収納するものである請求項１〜１０のいずれか１項に記載の照明器具。
【発明の詳細な説明】
【技術分野】
【０００１】
本発明は、無線装置等を収納する箱体が取り付けられた照明器具に関する。
【背景技術】
【０００２】
照明器具には、光源を点灯する点灯装置が搭載されている。光源としては、例えば蛍光灯又はＬＥＤモジュール等が挙げられる。点灯装置は、例えば照明器具に固定されて使用されている。従来、点灯装置が固定される手段として、螺子及びナットを用いた照明器具が知られている。ここで、照明器具が天井等に取り付けられた後に、照明器具に固定された点灯装置が交換される場合がある。このように、点灯装置が照明器具に取り付けられる際、照明器具自体が天井から取り外される必要がある。更に、近年、照明器具に、点灯装置以外の新たな無線装置といったものが取り付けられる場合もある。無線装置は、例えば無線通信等を行うための装置である。無線装置は、配線で点灯装置に接続されることによって、点灯装置に無線通信等の追加機能を付加することができる。無線装置等は、予め照明器具に搭載された状態で出荷される場合もあるが、省エネルギを図る目的等のために、照明器具が天井に設置されて使用された後に、取り付けられる場合もある。このように、無線装置等が照明器具に取り付けられる際、照明器具自体が天井から取り外される必要がある。
【０００３】
これに対し、特許文献１には、点灯装置である安定器が、照明器具に着脱自在に設けられた給電部品台に取り付けられた照明器具が開示されている。特許文献１において、安定器が取り付けられた給電部品台は、蝶ナットによって、照明器具に固定されている。特許文献１は、安定器が交換される際、蝶ナットを外すことによって、給電部品台と共に安定器が照明器具から取り外される。これにより、照明器具自体を天井に取り付けたまま、安定器が交換される。
【先行技術文献】
【特許文献】
【０００４】
【特許文献１】特開２００２−１５６１７号公報
【発明の概要】
【発明が解決しようとする課題】
【０００５】
しかしながら、特許文献１に開示された照明器具は、照明器具自体を天井に取り付けたままであるものの、安定器等が交換される際、高所で不安定な足場等の上で、蝶ナットを外す作業等が行われる。従って、作業性が悪い。
【０００６】
本発明は、上記のような課題を解決するためになされたもので、作業性が向上する照明器具を提供するものである。
【課題を解決するための手段】
【０００７】
本発明に係る照明器具は、光源を点灯する板状の器具本体と、器具本体に取り付けられる箱体と、器具本体の一部が折り曲げ自在に構成されており、器具本体の他部と共に箱体の一部を挟み込む折り曲げ部と、を備える。
【発明の効果】
【０００８】
本発明によれば、螺子等の別部材である締結部材がなくとも、折り曲げ部を用いることによって器具本体に箱体を容易に取り付けることができ、また取り外すこともできる。このため、箱体を脱着する際の作業性を向上させることができる。
【図面の簡単な説明】
【０００９】
【図１】本発明の実施の形態１における照明装置２を示す斜視図である。
【図２】本発明の実施の形態１に係る照明器具１を示す斜視図である。
【図３】本発明の実施の形態１に係る器具本体１０及び箱体３０を示す斜視図である。
【図４】本発明の実施の形態１に係る箱体３０を示す斜視図である。
【図５】本発明の実施の形態１に係る箱体３０を示す正面（上面）図である。
【図６】本発明の実施の形態１に係る器具本体１０を示す正面図である。
【図７】本発明の実施の形態１に係る折り曲げ部２０を示す正面（上面）図である。
【図８】本発明の実施の形態１に係る折り曲げ部２０を示す斜視図である。
【図９】本発明の実施の形態１に係る折り曲げ部２０を示す斜視図である。
【図１０】本発明の実施の形態１に係る折り曲げ部２０を示す斜視図である。
【図１１】本発明の実施の形態２に係る照明器具１００を示す斜視図である。
【図１２】本発明の実施の形態２に係る箱体１３０を示す斜視図である。
【図１３】本発明の実施の形態３に係る照明器具２００を示す斜視図である。
【図１４】本発明の実施の形態４に係る照明器具３００を示す斜視図である。
【図１５】本発明の実施の形態５に係る折り曲げ部４２０を示す正面図である。
【図１６】本発明の実施の形態６に係る折り曲げ部５２０を示す正面図である。
【図１７】本発明の実施の形態７に係る折り曲げ部６２０を示す正面図である。
【発明を実施するための形態】
【００１０】
実施の形態１．
以下、本発明に係る照明器具の実施の形態について、図面を参照しながら説明する。図１は、本発明の実施の形態１における照明装置２を示す斜視図である。この図１に基づいて、照明装置２について説明する。図１に示すように、照明装置２は、照明器具１とランプ３とを備えている。照明器具１は、例えば天井等に取り付けられるものであり、器具本体１０と、反射板４と、一対のソケット５とを備えている。
【００１１】
器具本体１０は、長手方向（矢印Ｙ方向）に延びる板状の部材であり、例えば金属である。反射板４は、器具本体１０の全体を覆うものであり、ランプ３から天井側に出射された光を反射するものである。ソケット５は、器具本体１０の両端部に設けられ、ランプ３を支持すると共にランプ３に給電するものである。ランプ３は、長手方向（矢印Ｙ方向）に延びる円柱状の部材と、この円柱状部材に収納された例えばＬＥＤパッケージが基板上に実装されたＬＥＤモジュールとから構成される。
【００１２】
図２は、本発明の実施の形態１に係る照明器具１を示す斜視図である。図２に基づいて、照明器具１について説明する。図２に示すように、照明器具１は、点灯装置６と箱体３０とを備えている。点灯装置６は、光源に電力を供給して点灯させるものである。ここで、器具本体１０の一方の面１０ａが天井に取り付けられ、器具本体１０の他方の面１０ｂに点灯装置６が取り付けられている。照明器具１は、更に、電源端子台（図示せず）を備えている。電源端子台は、商用電源からの電源を供給する電源線（図示せず）が接続されるものである。また、電源端子台と点灯装置６とが配線（図示せず）で接続され、電源端子台から点灯装置６に電源が供給される。点灯装置６は、供給された電源を直流の電力に変換して、給電側ソケット５を介してＬＥＤモジュールに供給する。
【００１３】
図３は、本発明の実施の形態１に係る器具本体１０及び箱体３０を示す斜視図である。図３に示すように、箱体３０は器具本体１０に取り付けられている。箱体３０は、例えば図示しない照明コントローラ（調光コントローラ）との間でアドレスを設定して関連付けるための無線装置を収納するものであり、器具本体１０の天井側とは反対側の他方の面１０ｂに取り付けられている。箱体３０と点灯装置６とが配線（図示せず）で接続されることによって、点灯装置６に無線通信等の追加機能を付加することができる。上記したように、調光コントローラと箱体３０に収納された無線装置とをアドレス設定して関連付けておくことにより、調光コントローラからの電源ＯＮ／ＯＦＦ及び調光指令値を含む無線信号を箱体３０の無線装置にて受信して、点灯装置６のコンバータ回路によりＬＥＤモジュールを点灯制御可能である。なお、箱体３０は、点灯装置６に追加機能を付加することが不要であれば、器具本体１０に取り付けられなくともよい。また、箱体３０は、器具本体１０が建物の天井等に取り付けられた後、必要となった場合に適宜取り付けられるものでもよい。
【００１４】
なお、箱体３０は、無線装置を収納するものに限らず、点灯装置６そのもの、或いは点灯装置６の一部分（分割した部分）を収納するものであってもよい。この場合、器具本体１０に直接取り付けられた点灯装置６は省略される。また、箱体３０は、光源を収納するものであってもよい。この場合、箱体３０を透光性樹脂カバー等で構成し、ランプ３及びソケット５が省略される。箱体３０には照明器具１に必要な様々な各種ユニットが搭載可能である。
【００１５】
図４は、本発明の実施の形態１に係る箱体３０を示す斜視図である。図４に示すように、箱体３０は、基部３１と箱本体３２とを有している。基部３１は、長手方向（矢印Ｙ方向）に延びる板状の部材であり、一方の面３１ａが器具本体１０の他方の面１０ｂに接触している。箱本体３２は、中空の直方体状の部材であり、基部３１の天井側とは反対側の他方の面３１ｂに取り付けられている。箱本体３２の内部には、無線装置が収納されている。
【００１６】
図５は、本発明の実施の形態１に係る箱体３０を示す正面（上面）図である。図５に示すように、箱体３０の基部３１の両端部には、箱体３０の端部から切り欠かれた切欠き３３が夫々２個形成されている。なお、切欠き３３の数は、４個の場合を例示したが、４個に限らない。例えば、箱体３０の基部３１の幅が短ければ、箱体３０の基部３１を器具本体１０に強固に固定することを考慮すると、箱体３０の両端部に夫々１個形成されていれば充分である。また、箱体３０の基部３１の幅が長ければ、箱体３０の基部３１を器具本体１０に強固に固定することを考慮すると、箱体３０の両端部に夫々３個以上形成されていることが好ましい。
【００１７】
図６は、本発明の実施の形態１に係る器具本体１０を示す正面図である。次に、器具本体１０に設けられた折り曲げ部２０について説明する。図６に示すように、器具本体１０には、器具本体１０の厚み方向（図３，図４に示す矢印Ｚ方向）にくり抜かれたスリット１１が形成されている。スリット１１は、器具本体１０の厚み方向（矢印Ｚ方向）からみて、略Ｕ字状である。本実施の形態１では、スリット１１は、矩形状に形成されている。スリット１１は基部３１両端に４個設けられており、片端側の２個を１組として、この片端の２個同士が互いに両端において対向するように配置されている。また、Ｕ字状のスリット１１の非開口部分の折り曲げ部２０も両端において対向するように配置されている。なお、スリット１１において、２個同士の間の距離Ｄ２は、箱体３０の基部３１の両端部の長さＤ１（図５参照）と同等になるように設定されている。これにより、後述するように、箱体３０を器具本体１０に取り付けることができる。
【００１８】
図７は、本発明の実施の形態１に係る折り曲げ部２０を示す正面（上面）図である。図７に示すように、器具本体１０のスリット１１によって形成された板片が、容易に折り曲げ可能な折り曲げ部２０となっている。具体的には、器具本体１０において、スリット１１の内側の折り曲げられる部分が、折り曲げ部２０となっている。即ち、器具本体１０の板金の一部が、Ｕ字状にカットされることによって、カットされた部分の内側に残った部分が爪状の折り曲げ部２０となる。即ち、折り曲げ部２０のスリット１１は、器具本体１０の厚み方向（矢印Ｚ方向）からみて、略Ｕ字状である。
【００１９】
スリット１１が形成され残った爪状の折り曲げ部２０は、板片根元の基端部２１と板状の押え部２２とを有している。基端部２１は、器具本体１０と押え部２２との境界部であり、折り曲げられる基線である。押え部２２は、基端部２１から延び、折り曲げられて使用され、箱体３０を押さえるものである。ここで、押え部２２の幅Ｗ１又は長さＬは、１．５ｍｍ以上である。また、折り曲げ部２０において、基端部２１の幅Ｗ２よりも押え部２２の長さＬの方が長い。これにより、押え部２２を基端部２１に対して折り曲げ易くすることができる。なお、本実施の形態１では、押え部２２の形状は、矩形状であるが、そのほかの形状でもよい。例えば、矩形状の押え部２２の角部を面取りすることによって、先端側を半円形状にしてもよい。また、押え部２２の先端側が尖った三角形状にしてもよい。
【００２０】
図８、図９及び図１０は、本発明の実施の形態１に係る折り曲げ部２０を示す斜視図である。図８に示すように、折り曲げ部２０が使用されないとき、折り曲げ部２０は、折り曲げられていない。一方、図９に示すように、器具本体１０に箱体３０が取り付けられるとき、折り曲げ部２０が使用される。具体的には、図９に示すように、折り曲げ部２０の基端部２１を起点として、折り曲げ部２０の押え部２２が器具本体１０の手前側に起こされる。
【００２１】
そして、図１０に示すように、押え部２２が更に起こされて、器具本体１０側に倒される。このとき、押え部２２は器具本体１０の他方の面１０ｂと共に箱体３０の切欠き３３を介して箱体３０の一部を挟み込む。これにより、図３に示すように、箱体３０が器具本体１０に取り付けられる。なお、折り曲げ部２０は、箱体３０の切欠き３３に挿入されつつ、箱体３０を器具本体１０側に押さえつける。即ち、箱体３０の切欠き３３は、折り曲げ部２０が挿入される挿入孔である。
【００２２】
ここで、図９に示すように、折り曲げ部２０の押え部２２が器具本体１０の手前側に起こされる際、器具本体１０が天井等に取り付けられる前であれば、器具本体１０の奥側の面から指圧等の外力を加えることによって、押え部２２は容易に起こされる。一方、器具本体１０が天井等に取り付けられている場合は、スリット１１にマイナスドライバー等の先端が細い道具を差し込んで、器具本体１０の奥側の面から押し上げるようにすればよい。このため、押え部２２を容易に起こすことを考慮すると、スリット１１には、マイナスドライバー等が差し込める間隙を設けておくのがよい。
【００２３】
マイナスドライバーの先端の厚さは様々であるが、汎用的に使用されているものは１ｍｍ程度である。従って、マイナスドライバーが入り込む押え部２２の先端部分のスリット１１の間隔は、マイナスドライバーの先端が充分に入るスリット１１の空間を確保するため、１．５ｍｍ以上に設定されることが好ましい。なお、押え部２２を基端部２１の所で折り曲げることができればよいので、マイナスドライバーに限らず、専用の折り曲げ治具が用いられてもよい。また、作業を行う電気工事業者等が保有する工具が使用されれば、電気工事業者等にとって使い勝手がよい。
【００２４】
また、図９に示すように、折り曲げ部２０の押え部２２が器具本体１０の手前側に起こされる際、基端部２１の幅Ｗ２が押え部２２の長さＬよりも長いと、折り曲げる部分が長くなるため、押え部２２が起こされるには、より大きな力が必要である。従って、器具本体１０において、押え部２２を基端部２１で効率良く折り曲げることを考慮すると、基端部２１の幅Ｗ２よりも押え部２２の長さＬの方を長く設定することが好ましい。これにより、折り曲げる幅が短くなるため、より弱い力で押え部２２を起こすことができる。なお、基端部２１の幅Ｗ２及び押え部２２の長さＬは、器具本体１０の板金の素材、厚み及び硬さ等によって適宜変更される。その際、実機にて確認しつつ変更すればよい。
【００２５】
更に、本実施の形態１では、器具本体１０のスリット１１の近傍に、箱体３０の切欠き３３が位置するように箱体３０が配置された後、箱体３０の短手側の辺において、器具本体１０の折り曲げ部２０が箱体３０の切欠き３３に挿入されて、箱体３０が器具本体１０に取り付けられる。このとき、箱体３０は、器具本体１０に取り付けられると同時に、位置決めされる。ここで、箱体３０の切欠き３３の幅は、器具本体１０の折り曲げ部２０の基端部２１の幅よりも十分広くなるように設定される。切欠き３３の幅が基端部２１の幅よりも小さいと、折り曲げ部２０の押え部２２が切欠き３３の内部に収まらず、箱体３０の短手側の辺に当たって、それ以上折り曲げられなくなる虞がある。本実施の形態１では、切欠き３３の幅は、折り曲げ部２０の基端部２１の幅よりも十分広くなるように設定されているため、折り曲げ部２０の押え部２２は、確実に切欠き３３の内部に収まる。即ち、折り曲げ部２０と切欠き３３との位置合わせが容易となる。
【００２６】
本実施の形態１によれば、螺子等の別部材である締結部材がなくとも、器具本体１０のスリット１１内側に設けた折り曲げ部２０を基端部２１で折り曲げ立てた状態で箱体３０の切欠き３３に挿入して箱体３０を器具本体１０に位置決め仮固定した後、更に折り曲げ部２０の押え部２２を内側に折り曲げることで、押え部２２と器具本体１０の他方の面１０ｂとで箱体３０の基部３１を挟み込み、箱体３０を器具本体１０に本固定している。これにより、器具本体１０に箱体３０を確実に取り付けることができる。
【００２７】
更に、箱体３０が器具本体１０に取り付けられる際、器具本体１０を天井から外さずに済む。例えば箱体３０が点灯装置６を収納するものである場合、器具本体１０を天井から外さず且つ別部材がなくとも、器具本体１０に箱体３０を取り付けることができる。また、例えば箱体３０が無線装置等を収納するものである場合、点灯装置６に無線通信機能等が付加される際、器具本体１０を天井から外さず且つ別部材がなくとも、器具本体１０に箱体３０を取り付けることができる。このように、本実施の形態１では、箱体３０を器具本体１０に取り付ける際の作業性を向上させることができる。
【００２８】
そして、器具本体１０に形成されたスリット１１は、器具本体１０の厚み方向（矢印Ｚ方向）からみて、Ｕ字状である。これにより、スリット１１の内側が折り曲げられた部分が、折り曲げ部２０となる。また、箱体３０には、折り曲げ部２０が挿入される挿入孔が形成されており、箱体３０の挿入孔は、箱体３０の端部から切り欠かれた切欠き３３である。これにより、折り曲げ部２０が切欠き３３に挿入される。更に、箱体３０は、一方の面３１ａが器具本体１０に接触する基部３１と、基部３１の他方の面３１ｂに取り付けられた中空状の箱本体３２と、を備え、箱体３０の切欠き３３は、基部３１に形成されている。これにより、箱本体３２に挿入孔を形成せずに、箱体３０が器具本体１０に取り付けられる。
【００２９】
なお、箱体３０を器具本体１０に本固定した後、箱体３０を器具本体１０から取り外すことも可能である。具体的には、図３の状態の折り曲げ部２０（押え部２２）をマイナスドライバー等で図９の状態のように立て、この状態で、箱体３０を切欠き３３を介して器具本体１０の押え部２２から下方に引っ張って外すことで、箱体３０を器具本体１０から取り外すことができる。
【００３０】
実施の形態２．
図１１は、本発明の実施の形態２に係る照明器具１００を示す斜視図、図１２は、本発明の実施の形態２に係る箱体１３０を示す斜視図である。本実施の形態２は、箱体１３０の挿入孔１３３の形状が実施の形態１と相違する。本実施の形態２では、実施の形態１と共通する部分は同一の符号を付して説明を省略し、実施の形態１との相違点を中心に説明する。
【００３１】
図１１及び図１２に示すように、箱体１３０には、折り曲げ部２０が挿入される円状の挿入孔１３３が形成されている。挿入孔１３３は、実施の形態１と異なり、閉じた穴となっている。本実施の形態２では、折り曲げ部２０の押え部２２は、先ず、図９に示すように、器具本体１０に対し垂直に起立した状態で挿入孔１３３に挿入され、その後、図１０に示すように、押え部２２と器具本体１０の他方の面１０ｂとが箱体１３０の基部３１を挟み込む。本実施の形態２では、挿入孔１３３が閉じた穴となっているため、折り曲げ部２０が切欠き３３に挿入されるのではなく、挿入孔１３３から抜けて箱体１３０が器具本体１０から脱落することを抑制することができる。なお、挿入孔１３３の数は４個であり、箱体３０の基部３１の４箇所に対して固定することで、安定性良く固定できる点で好ましい場合を例示したが、個数には限定されず、３個以下でもよいし、５個以上でもよい。また、挿入孔１３３は、押え部２２が容易に挿入できれば、円状に限らず角状でもよい。また、押え部２２の先端部分を挿入し易いように三角形状にしてもよいし、丸みを帯びた形状にしてもよいし、先端にいく程細幅になるように構成してもよい。
【００３２】
実施の形態３．
図１３は、本発明の実施の形態３に係る照明器具２００を示す斜視図である。本実施の形態３は、箱体２３０の挿入孔２３３が箱本体３２に形成されている点で、実施の形態１と相違する。本実施の形態３では、実施の形態１と共通する部分は同一の符号を付して説明を省略し、実施の形態１との相違点を中心に説明する。
【００３３】
図１３に示すように、箱体２３０の挿入孔２３３は、箱本体３２における長手側の側面の下部に設けられている。挿入孔２３３は、箱本体３２を貫通している。器具本体１０長手方向の端部に図８のスリット１１、押え部２２とは直交する方向に形成された、器具本体１０の折り曲げ部２０の押え部２２が箱体２３０の挿入孔２３３に挿入され、器具本体１０の押え部２２と他方の面１０ｂとが箱体２３０の基部３１を挟み込む。これにより、箱体２３０が器具本体１０に取り付けられる。このように、本実施の形態３は、箱体２３０は、一方の面３１ａが器具本体１０に接触する基部３１と、基部３１の他方の面３１ｂに取り付けられた中空状の箱本体３２と、を備え、箱体２３０の挿入孔２３３は、箱本体３２長手方向側面の下部に形成されている。実施の形態３も、実施の形態１と同様の効果を奏する。なお、挿入孔２３３は、角状に形成されているが、円状に形成されてもよい。また、押え部２２の先端部分を挿入し易いように三角形状にしてもよいし、丸みを帯びた形状にしてもよいし、先端にいく程細幅になるように構成してもよい。
【００３４】
実施の形態４．
図１４は、本発明の実施の形態４に係る照明器具３００を示す斜視図である。本実施の形態４は、照明器具３００が係止部３１２を備えている点で、実施の形態１と相違する。本実施の形態４では、実施の形態１と共通する部分は同一の符号を付して説明を省略し、実施の形態１との相違点を中心に説明する。
【００３５】
図１４に示すように、照明器具３００は係止部３１２を備えている。係止部３１２は、器具本体３１０に設けられ、挿入孔、即ち切欠き３３に挿入されて箱体３０を係止するものである。なお、係止部３１２は、２個設けられており、箱体３０の２個のスリット１１と対向している。箱体３０が器具本体３１０に取り付けられる際、箱体３０の２個の切欠き３３が係止部３１２によって係止され、箱体３０が器具本体３１０に仮固定される。その後、箱体３０の残りの２個の切欠き３３に折り曲げ部２０が挿入され、器具本体３１０と折り曲げ部２０の他方の面１０ｂとが箱体３０の基部３１を挟み込む。これにより、箱体３０が器具本体３１０に本固定される。なお、係止部３１２は２個に限らず、１個でもよいし、３個以上でもよい。
【００３６】
このように、本実施の形態４は、器具本体３１０に設けられ、挿入孔、即ち切欠き３３に挿入されて箱体３０を係止する係止部３１２を更に備える。このため、係止部３１２によって箱体３０が器具本体３１０に一旦仮固定され、その後、折り曲げ部２０によって箱体３０が器具本体３１０に本固定される。係止部３１２による仮固定の分だけ、折り曲げ部２０による本固定の負担が減るため、作業性を向上させることができる。
【００３７】
実施の形態５．
図１５は、本発明の実施の形態５に係る折り曲げ部４２０を示す正面図である。本実施の形態５では、図１５に示すように、押え部４２２は、押え部４２２の基端側の幅よりも押え部４２２の先端側の幅の方が狭い。これにより、押え部４２２が切欠き３３又は挿入孔１３３等に挿入され易くなる。このため、作業性が向上する。
【００３８】
実施の形態６．
図１６は、本発明の実施の形態６に係る折り曲げ部５２０を示す正面図である。本実施の形態６では、図１６に示すように、折り曲げ部５２０は、基端部５２１と押え部５２２とを接続し、押え部５２２の基端側の幅よりも狭い接続部５２３を更に有する。これにより、押え部５２２が起こされる際、折り曲げる部分の幅が短くなるため、より弱い力で押え部５２２を起こすことができる。また、適切な力で折り曲げられるように調整することができる。なお、押え部５２２は先端の幅が実施の形態１と同様であるため、指等で押さえ易い。このため、作業性が向上する。
【００３９】
実施の形態７．
図１７は、本発明の実施の形態７に係る折り曲げ部６２０を示す正面図である。本実施の形態７では、図１７に示すように、押え部６２２は、押え部６２２の基端側の幅よりも押え部６２２の先端側の幅の方が狭く、折り曲げ部６２０は、基端部６２１と押え部６２２とを接続し、押え部６２２の基端側の幅よりも狭い接続部６２３を更に有する。従って、押え部６２２が切欠き３３又は挿入孔１３３等に挿入され易くなる。また、押え部６２２が起こされる際、折り曲げる部分の幅が短くなるため、より弱い力で押え部６２２を起こすことができる。また、適切な力で折り曲げられるように調整することができる。このため、作業性が向上する。
【符号の説明】
【００４０】
１  照明器具、２  照明装置、３  ランプ、４  反射板、５  ソケット、６  点灯装置、１０  器具本体、１０ａ  一方の面、１０ｂ  他方の面、１１  スリット、２０  折り曲げ部、２１  基端部、２２  押え部、３０  箱体、３１  基部、３１ａ  一方の面、３１ｂ  他方の面、３２  箱本体、３３  切欠き、１００  照明器具、１３０  箱体、１３３  挿入孔、２００  照明器具、２３０  箱体、２３３  挿入孔、３００  照明器具、３１０  器具本体、３１２  係止部、４１０  器具本体、４１１  スリット、４２０  折り曲げ部、４２１  基端部、４２２  押え部、５１０  器具本体、５１１  スリット、５２０  折り曲げ部、５２１  基端部、５２２  押え部、５２３  接続部、６１０  器具本体、６１１  スリット、６２０  折り曲げ部、６２１  基端部、６２２  押え部、６２３  接続部。
【図１】
2017098165.tif 000003
【図２】
2017098165.tif 000004
【図３】
2017098165.tif 000005
【図４】
2017098165.tif 000006
【図５】
2017098165.tif 000007
【図６】
2017098165.tif 000008
【図７】
2017098165.tif 000009
【図８】
2017098165.tif 000010
【図９】
2017098165.tif 000011
【図１０】
2017098165.tif 000012
【図１１】
2017098165.tif 000013
【図１２】
2017098165.tif 000014
【図１３】
2017098165.tif 000015
【図１４】
2017098165.tif 000016
【図１５】
2017098165.tif 000017
【図１６】
2017098165.tif 000018
【図１７】
2017098165.tif 000019